(57)【要約】【課題】搬送中のウエッブに塗布液を塗布する塗布装置、および搬送中のウエッブに、架台に取り付けられた塗布ヘッドによって塗布液を塗布する塗布方法に関し、飛散したり漏れ出した塗布液の固形物が残留することを防止する。【解決手段】塗布ヘッド１０と、塗布ヘッド１０が取り付けられた取付面２０ａを有する架台２０と、取付面２０ａに、液体を連続的に流す流水手段４０とを備える。【選択図】        図３
2004167309.tif 000002
【特許請求の範囲】
【請求項１】
搬送中のウエッブに塗布液を塗布する塗布装置において、
塗布ヘッドと、
前記塗布ヘッドが取り付けられた取付面を有する架台と、
前記取付面に、液体を連続的に流す流水手段とを備えたことを特徴とする塗布装置。
【請求項２】
前記流水手段が、前記塗布液の液温と同じ液温の液体を流すことを特徴とする請求項１記載の塗布装置。
【請求項３】
上に開口し、該開口内に前記架台が載置された箱形状のセーブオールと、
該セーブオールの、前記架台が載置された面に、雰囲気中の露点温度よりも高い液温の液体を連続的に流す第２の流水手段とを備えたことを特徴とする請求項２記載の塗布装置。
【請求項４】
搬送中のウエッブに、架台に取り付けられた塗布ヘッドによって塗布液を塗布する塗布方法において、
前記架台の、前記塗布ヘッドが取り付けられた取付面に、液体を連続的に流すことを特徴とする塗布方法。
【発明の詳細な説明】
【０００１】
【発明の属する技術分野】
搬送中のウエッブに塗布液を塗布する塗布装置、および搬送中のウエッブに、架台に取り付けられた塗布ヘッドによって塗布液を塗布する塗布方法に関する。
【０００２】
【従来の技術】
写真フィルムの支持体や磁気記録テープの支持体等に利用されるウエッブの多くは、長尺の帯状に形成された状態で下塗剤や乳剤等の塗布液が塗布され、その後、所定の長さ，幅に切断されることにより得られる。ここで、塗布液の塗布は、帯状のウエッブを搬送しながら、図１に示すようなバーコータと称される塗布装置を用いて行われることはよく知られている。
【０００３】
図１は、バーコータと称される従来の塗布装置を模式的に示す図である。
【０００４】
図１には、３本のパスロール８１〜８３が示されており、長尺のウエッブ９は、これらのパスロール８１〜８３に巻き掛けられるようにして搬送される。この図１では、ウエッブ９は、図中の矢印Ｓが示すように、反時計まわりに搬送されており、上流側のパスロール８１と中間のパスロール８２との間に塗布装置１が配備されている。この塗布装置１は、塗布ヘッド１０と、架台２０と、セーブオール３０とを備えており、塗布ヘッド１０は、架台２０の上面２０ａに載置され、その架台２０は、セーブオール３０内に収められている。塗布ヘッド１０は、バー１１とギーサブロック１２とを有する。バー１１は、断面円状のワイヤ１１１がコイル状に隙間無く巻き付けられたものである。ギーサブロック１２には、塗布液を貯留する液溜まり１２１が設けられており、この液溜まり１２１の底部には受け座１３が配備されている。バー１１は、バー１１の下方部分が、液溜まり１２に貯留された塗布液に浸かるよう、受け座１３上に載置されている。受け座１３には、液溜まり１２１の、受け座１３よりも上流側の部分と下流側の部分とを結ぶ貫通孔１３１が設けられている。また、液溜まり１２１の、バー１１よりも下流側の部分からは、塗布液がオーバーフローしており、ギーサブロック１２には、オーバーフローした塗布液を受ける受け皿１４が取り付けられている。バー１１は、受け座１３と接触した状態で不図示のモータによって矢印Ｒ方向に回転させられる。バー１１周面の、隣接するワイヤ１１１の円弧部分によって形成された空間には、塗布液が担持される。搬送中のウエッブ９は、塗布装置１のバー１１に巻き掛けられた状態で搬送される。バー１１に巻き掛けられたウエッブ９の上流側と下流側それぞれには、ウエッブ９の塗布面とバー９１の周面とによって挟まれた空間Ｂが生じる。バー周面に担持された塗布液は上流側のこの空間Ｂに供給され、ビードが形成される。搬送されてきたウエッブ９の塗布面には、このビードの塗布液が塗布される。なお、下流側の空間Ｂには、余剰分の塗布液が溜まる。
【０００５】
また、特許文献１には、架台内部に保温水を流して、架台を保温している塗布装置が記載されている。
【０００６】
【特許文献１】
特開平５−１１１６７２号公報
【０００７】
【発明が解決しようとする課題】
図１に示す塗布装置１によって、ウエッブに塗布液を塗布すると、塗布液が少なからず周囲に飛び散る。また、受け皿１４の、ギーサブロック１２への取り付け箇所からオーバーフローした塗布液が漏れ出すこともある。さらに、バー１１の取り外し時には、液溜まり１２１に溜まった塗布液が周囲に飛び散りやすい。漏れ出したり飛び散った塗布液は、架台２０の上面２０ａやセーブオール３０の、架台２０が載置された面に付着する。ここで、塗布液には、結着材やゼラチン質の材料が含まれており、付着した塗布液が乾燥すると、塗布液が付着した部分には、結着材やゼラチン質の材料からなる固形物が残留する。残留した固形物は、時間が経つにつれて腐敗し、悪臭を漂わせて作業環境を劣悪にしたり、粉状となって周囲の雰囲気中に舞い、搬送中のウエッブに付着して製品不良を引き起こしたりする。
【０００８】
また、特許文献１記載の塗布装置では、架台から塗布液が漏れ出したり、架台を洗浄した際に塗布液のカスが残り、やはり架台周囲には塗布液の固形物が残留する。
【０００９】
そのため、従来では、残留した固形物をナイフ等で剥ぎ取って除去する作業を行っている。しかしながら、この作業は、作業者に過度の負担を強いるものである。
【００１０】
本発明は、上記事情に鑑み、飛散したり漏れ出した塗布液の固形物が残留することを防止することができる塗布装置および塗布方法を提供することを目的とする。
【００１１】
【課題を解決するための手段】
上記目的を達成する本発明のうちの塗布装置は、搬送中のウエッブに塗布液を塗布する塗布装置において、
塗布ヘッドと、
上記塗布ヘッドが取り付けられた取付面を有する架台と、
上記取付面に、液体を連続的に流す流水手段とを備えたことを特徴とする。
【００１２】
本発明の塗布装置によれば、上記架台の取付面には、液体が連続的に流れているため、飛散したり漏れ出した塗布液は、この液体によって、上記架台の取付面外に運ばれ、架台の取付面に固形物が残留することを防止することができる。
【００１３】
また、本発明の塗布装置において、上記流水手段が、上記塗布液の液温と同じ液温の液体を流すことが好ましい。
【００１４】
均一な塗布を行うには、上記塗布ヘッドを水平に配置する必要があり、上記塗布ヘッドと上記架台との接触面の水平度を高めなければならない。上記塗布ヘッドと上記架台との熱膨張の程度が異なると、両者の接触面を水平にしておいても塗布ヘッドが傾いてしまう。上記のような供給手段を設けると、上記塗布ヘッドと上記架台との熱膨張の程度は等しくなり、塗布ヘッドを水平に維持することができる。
【００１５】
さらに、本発明の塗布装置において、上に開口し、その開口内に上記架台が載置された箱形状のセーブオールと、
そのセーブオールの、上記架台が載置された面に、雰囲気中の露点温度よりも高い液温の液体を連続的に流す第２の流水手段とを備えた態様であることがより好ましい。
【００１６】
このような態様にすることで、塗布液がセーブオールにまで飛散したり漏れ出したりしても、上記液体が、飛散したり漏れ出した塗布液を、上記セーブオールの外に運び出し、上記セーブオールに固形物が残留することを防止することができる。しかも、図１に示すように、セーブオールの下をウエッブが搬送される場合であっても、上記第２の供給手段が、雰囲気中の露点温度よりも高い液温の液体を供給するものであるため、セーブオールにおいて結露することが防止され、結露した水滴が、搬送中のウエッブに滴下することはない。
【００１７】
上記目的を達成する本発明のうちの塗布方法は、搬送中のウエッブに、架台に取り付けられた塗布ヘッドによって塗布液を塗布する塗布方法において、
上記架台の、上記塗布ヘッドが取り付けられた取付面に、液体を連続的に流すことを特徴とする。
【００１８】
本発明の塗布方法によれば、飛散したり漏れ出した塗布液は、連続的に流れる液体によって、上記架台の取付面外に運ばれ、架台の取付面に固形物が残留することを防止することができる。
【００１９】
【発明の実施の形態】
以下、本発明の一実施形態である塗布装置について説明する。
【００２０】
本実施形態の塗布装置は、いわゆるバーコータと称される塗布装置であって、写真フィルムの支持体となる長尺のウエッブに塗布液を塗布する装置である。塗布液には、結着材やゼラチン質の材料が含まれている。本実施形態の塗布装置の大まかな構成は、図１に示す塗布装置１と同じである。ここでは、図１に示す塗布装置１の説明で用いた符号と同じ符号を用いて、本実施形態の塗布装置の特徴的な部分について説明する。
【００２１】
図２は、本発明の一実施形態である塗布装置を模式的に示す図である。
【００２２】
この図２にも、図１と同じく、３本のパスロール８１〜８３が示されており、長尺のウエッブ９は、これらのパスロール８１〜８３に巻き掛けられるようにして、反時計まわりに搬送される（図中の矢印Ｓ参照）。本実施形態の塗布装置１は、図１に示す塗布装置と同じく、上流側のパスロール８１と中間のパスロール８２との間に配備されており、下流側のパスロール８３に巻き掛けられたウエッブ９は、塗布装置１の下方を通過する。
【００２３】
また、図２に示す塗布装置１は、図１に示す塗布装置と同じく、塗布ヘッド１０と、架台２０と、セーブオール３０とを備えている他、この塗布装置１は、第１供給手段４０と第２供給手段５０も備えている。塗布ヘッド１０は、架台２０の上面２０ａに、ギーサブロック１２の底面全面が面接触するように載置されている。したがって、本実施形態では、架台２０の上面２０ａが、架台２０の、塗布ヘッド１０の取付面である。ギーサブロック１２の底面と架台２０の上面２０ａはともに、水平に形成されており、塗布ヘッド１０は水平に配置されている。セーブオール３０は、上に開口した箱形状のものであり、水平面３０ａと、その水平面３０ａの周縁から立ち上がった垂直面３０ｂとを有する。図３では図示省略され図２では２本しか図示されていないが、架台２０の底面には４本の支持脚２１が配備されており、架台２０は、これら４本の支持脚２１によってセーブオール３０の水平面３０ａに載置されている。したがって、本実施形態では、セーブオール３０の水平面３０ａが、セーブオール３０の、架台２０が載置された面である。
【００２４】
ここで、図２とともに図３も用いて説明する。
【００２５】
図３は、図２に示す塗布装置を上から見た模式図である。
【００２６】
図３では図示省略したが、ウエッブは、図３の上から下に向かって搬送されている。したがって、この図３の左右方向が、ウエッブの幅方向になり、この図３では、その幅方向の中間部分を図示省略している。また、説明の都合上、図２に示す受け皿１４も図示省略している。
【００２７】
図３に示すように、塗布ヘッド１０はウエッブの幅方向に延在するものであり、バー１１もウエッブの幅方向に延在するものである。バー１１の両端は、液溜まり１２１を形成する堰１２１ａによって回転自在に支えられている。また、バー１１の両端間は、図２に示す受け座１３の上に載置されており、バー１１の下方部分は液溜まり１２１に溜まった塗布液に浸かっている。本実施形態の塗布装置１は、バー１１を図２に示す矢印Ｒ方向に回転するモータ６１（図３参照）も備えており、バー１１とモータ６１は、図３に示すフレキシブルカップリング６２によって連結されている。液溜まり１２１に溜まった塗布液は、バー１１が回転させられることで、バー１１周面の、隣接するワイヤ１１１（図２参照）の円弧部分によって形成された空間に担持される。なお、モータ６１は、架台２０の上面２０ａに設置されている。
【００２８】
第１供給手段４０は、図３に示すポンプ４１と、供給配管４２と、２つのノズル４３を有する。ポンプ４１は、２つのノズル４３に水を連続的に送るものであって、架台２０の外に配備されている。供給配管４２は、ポンプ４１と２つのノズル４３を結ぶものである。この供給配管４２の一部は、点線で示すように架台２０の内部に設けられており、図２に示すように架台２０の内部で２つに分岐して各ノズル４３に接続されている。ノズル４３は、架台２０の上面２０ａの、ウエッブの幅方向の一端（図３では左側）に設けられており、ノズル４３の口は、その幅方向の他端（図３では右側）に向けられている。架台２０の上面２０ａの、ノズル４３の口が向く先、すなわちノズル４３に対向する、幅方向の他端の位置には、ノズル４３の口よりも遙かに大きな排水口２２が設けられている。また、２つのノズル４３のうちの一方は、架台２０の上面２０ａに載置された塗布ヘッド１０よりも上流側に設けられており、もう一方は、下流側に設けられている。これらのノズル４３からは、供給配管４２を通って連続的に送られてくる水が吐出される。本発明の一実施形態である塗布方法では、これらのノズル４３から、架台２０の、塗布ヘッド１０が取り付けられた取付面、すなわち上面２０ａに水を連続的に流す。架台２０の、上流側の縁部と下流側の縁部には、ともに堰２３が、ウエッブの幅方向に延在している。ノズル４３から吐出された水は、架台２０の上面２０ａの、この堰２３と塗布ヘッド１０との間の部分を、図３に２点鎖線で示す矢印のように、ウエッブの幅方向の一端から他端に向かって流れ、排水口２２から排水される。架台２０の内部には、排水口２２から続く排水管２４が配備されており、架台２０の上面２０ａを流れた水は、この排水管２４を通って架台２０の外に送られる。したがって、架台２０の上面２０ａに飛散したり漏れ出した塗布液は、この上面２０ａを流れる水とともに架台２０の外に運ばれる。その結果、塗布液に含まれる結着材やゼラチン質の材料が固化して、この上面２０ａに残留することが防止される。しかも、架台２０の上面２０ａには連続的に水が流されているため、飛散したり漏れ出した塗布液が滞留することはなく、排水口２２や排水管２４の詰まりも防止される。また、このような第１供給手段４０によって、架台２０の上面２０ａに流される水の液温は、液溜まり１２１に溜められた塗布液の液温と同じ温度に調整されている。このため、塗布ヘッド１０の熱膨張の程度と架台２０の熱膨張の程度は等しくなり、塗布ヘッド１０を水平に維持することができる。
【００２９】
第２供給手段５０は、図３に示すポンプ５１と、供給配管５２と、パイプ部材５３を有する。パイプ部材５３は、セーブオール３０の水平面３０ａの、ウエッブの幅方向の一端（図３では左側）に、ウエッブの搬送方向に沿って延在するものである。図２に示すように、このパイプ部材５３の長手方向には、小孔５３１が等間隔に開口されており、このようなパイプ部材５３は、これらの小孔５３１が、ウエッブの幅方向の他端（図３では右側）を向くように配置されている。ポンプ５１は、パイプ部材５３に水を連続的に送るものであって、セーブオール３０の外に配備されている。供給配管５２は、ポンプ５１とパイプ部材５３を結ぶものである。パイプ部材５３に設けられた各小孔５３１からは、供給配管５２を通って連続的に送られてくる水が吐出される。セーブオール３０の水平面３０ａの、ウエッブの幅方向の他端（図３では右側）には、小孔５３１よりも遙かに大きな排水口３１（図３参照）がウエッブの搬送方向に並んでいる。各小孔５３１から吐出された水は、架台２０の支持脚２１を回避しながら、図３に１点鎖線で示す矢印のように、セーブオール３０の水平面３０ａの、ウエッブの幅方向の一端から他端に向かって流れ、排水口３１から排水される。セーブオール３０の排水口３１には排水管３２（図３参照）が接続されており、セーブオール３０の水平面３０ａを流れた水は、この排水管３２を通ってセーブオール３０の外に送られる。このため、セーブオール３０の水平面３０ａに飛散したり漏れ出した塗布液は、架台２０の上面２０ａに飛散したり漏れ出した塗布液と同様、この水平面３０ａを連続的に流れる水とともに排水管３２を通ってセーブオール３０の外に送られる。したがって、セーブオール３０の水平面３０ａに飛散したり漏れ出した塗布液は、この水平面３０ａを連続的に流れる水とともにセーブオール３０の外に次々に運ばれ、塗布液に含まれる結着材やゼラチン質の材料が固化してこの水平面３０ａに残留してしまうことや、塗布液が滞留することによって排水口３１や排水管３２が詰まってしまうことが防止される。
【００３０】
また、このような第２供給手段５０によって、セーブオール３０の水平面３０ａに流される水の液温は、雰囲気中の露点温度よりも高い温度に調整されている。図２に示す塗布装置１に備えられたセーブオール３０の下方には、ウエッブ９が搬送されているため、セーブオール３０が結露すると、水滴が搬送中のウエッブに滴下してウエッブが製品不良になってしまうが、本実施形態の塗布装置１に備えられたセーブオール３０では、水平面３０ａを流れる水の液温によって結露することが防止されている。このため、結露した水滴によるウエッブの製品不良が生じることが防止される。
【００３１】
なお、図２に示す塗布装置１のバー１１が回転している間中、常時、架台２０の上面２０ａやセーブオール３０の水平面３０ａに連続的に水を流すことが好ましいが、飛散したり漏れ出した塗布液が、ノズル４３や小孔５３１から吐出された水とともに流れるのであれば、所定時間連続的に流水した後、流水を一旦中止し、再び所定時間連続的に流水することを繰り返してもよい。また、架台２０の上面２０ａやセーブオール３０の水平面３０ａに流れる水の方向は、ウエッブの幅方向に限らず、シート状物の搬送方向であってもよい。さらに、架台２０の上面２０ａやセーブオール３０の水平面３０ａに水を流すにあたり、水を散布することでこれらの上面２０ａや水平面３０ａに水を流してもよい。またさらに、架台２０の上面２０ａの、塗布ヘッド１０が載置された部分を除く部分や、セーブオール３０の水平面３０ａの、架台２０が載置された部分を除く部分に勾配を設け、その勾配を利用して水を流してもよい。また、本発明は、スライド塗布や、エクストルージョン塗布等にも広く適用することができる。
【００３２】
【発明の効果】
以上、説明したように、本発明によれば、飛散したり漏れ出した塗布液の固形物が残留することを防止することができる。
【図面の簡単な説明】
【図１】バーコータと称される従来の塗布装置を模式的に示す図である。
【図２】本発明の一実施形態である塗布装置を模式的に示す図である。
【図３】図２に示す塗布装置を上から見た模式図である。
【符号の説明】
１    塗布装置
１０    塗布ヘッド
１１    バー
１１１    ワイヤ
１２    ギーサブロック
１２１    液溜まり
１３    受け座
２０    架台
２０ａ    上面
２１    支持脚
２２    排水口
２３    堰
２４    排水管
３０    セーブオール
３０ａ    水平面
３１    排水口
３２    排水管
４０    第１供給手段
４１    ポンプ
４２    供給配管
４３    ノズル
５０    第２供給手段
５１    ポンプ
５２    供給配管
５３    パイプ部材
５３１    小孔
６１    モータ
６２    フレキシブルカップリング
９    ウエッブ
【図１】
2004167309.tif 000003
【図２】
2004167309.tif 000004
【図３】
2004167309.tif 000005